(57)【要約】【課題】効率的に温度調整できる空間の範囲を任意に選択することができるメータクラスタを提供する。【解決手段】車内のダッシュボード５０に取り付けられ、前後方向に開口する枠部材１０と、枠部材１０の内側に、左右方向に移動可能に取り付けられるとともに、車両情報を表示する表示部２０と、枠部材１０に設けられ、枠部材１０が開口する方向のうちの一方向に向けて風を吹き出す吹き出し口と、を有する。【選択図】図１
2019064559.tif 000002
【特許請求の範囲】
【請求項１】
車内のダッシュボードに取り付けられ、前後方向に開口する枠部材と、
前記枠部材の内側に、左右方向に移動可能に取り付けられるとともに、車両情報を表示する表示部と、
前記枠部材に設けられ、前記枠部材が開口する方向のうちの一方向に向けて風を吹き出す吹き出し口と、を有する、
ことを特徴とするメータクラスタ。
【請求項２】
前記枠部材は、前記吹き出し口からの送風方向と反対側の端部と、前記ダッシュボードと、の間に隙間が設けられた状態で、前記ダッシュボードに取付けられる、
ことを特徴とする請求項１に記載のメータクラスタ。
【請求項３】
前記枠部材は、左右方向の大きさが上下方向の大きさよりも大きく、
前記吹き出し口は、少なくとも前記枠部材のうち、上方に位置し、かつ左右方向に延びる上縁部、および下方に位置し、かつ左右方向に延びる下縁部に設けられている、
ことを特徴とする請求項１又は２に記載のメータクラスタ。
【発明の詳細な説明】
【技術分野】
【０００１】
本発明は、メータクラスタに関する。
【背景技術】
【０００２】
従来、下記特許文献１に示すようなメータクラスタが知られている。
このメータクラスタでは、ダッシュボードに取り付けられた枠部材の内側に車両情報を表示する表示部が配置され、枠部材の周縁部に冷暖風を吹き出す吹き出し口が設けられている。
このメータクラスタでは、吹き出し口から冷暖風を吹き出すことで、ステアリングホイールを迅速に温度調整することができる。
【先行技術文献】
【特許文献】
【０００３】
【特許文献１】実開平５−９３９２８号公報
【発明の概要】
【発明が解決しようとする課題】
【０００４】
しかしながら、前記従来のメータクラスタでは、吹き出し口の位置が予め決められているので、効率的に温度調整できる空間の範囲が限られていた。
【０００５】
そこで本発明は、吹き出し口からの送風方向を任意に変更することで、効率的に温度調整できる空間の範囲を任意に選択することができるメータクラスタを提供することを目的とする。
【課題を解決するための手段】
【０００６】
前記課題を解決するために、本発明は以下の手段を提案している。
本発明に係るメータクラスタは、車内のダッシュボードに取り付けられ、前後方向に開口する枠部材と、前記枠部材の内側に、左右方向に移動可能に取り付けられるとともに、車両情報を表示する表示部と、前記枠部材に設けられ、前記枠部材が開口する方向のうちの一方向に向けて風を吹き出す吹き出し口と、を有する、ことを特徴とすることを特徴とする。
【０００７】
上記のメータクラスタにおいて、前記枠部材は、前記吹き出し口からの送風方向と反対側の端部と、前記ダッシュボードと、の間に隙間が設けられた状態で、前記ダッシュボードに取付けられる、ことが望ましい。
【０００８】
上記のメータクラスタにおいて、前記枠部材は、左右方向の大きさが上下方向の大きさよりも大きく、前記吹き出し口は、少なくとも前記枠部材のうち、上方に位置し、かつ左右方向に延びる上縁部、および下方に位置し、かつ左右方向に延びる下縁部に設けられている、ことが望ましい。
【発明の効果】
【０００９】
請求項１のメータクラスタによれば、前後方向に開口する枠部材に吹き出し口が設けられているので、従来のエアアウトレット吹き出し口をダッシュボードに設ける必要が無い。このため、ダッシュボード上の部品の数を減らし、シンプルで見映えの良いインテリア空間を実現することができる。
また、吹き出し口を、枠部材の形状に沿って一定の範囲を占めるように設けることで、吹き出し口からの送風が車内の一部に集中することがなく、車内全体に均一な送風が可能となる。
【００１０】
また、表示部を、枠部材の内側で左右方向に移動させることができる為、表示部を確認する乗員の位置に合わせて、表示部の位置を変更することが可能になり、表示部の取扱性を向上することができる。
また、表示部を左右方向に移動させることで、枠部材の内側のうち、表示部が位置していない部分の空間を大きく確保することができる。これにより、吹き出し口から風を吹き出した際に、前記空間を占める空気が、吹き出し口からの送風に引き込まれることで、枠部材からの送風量が多くなる。以上のように、表示部を左右方向に移動させて、吹き出し口からの送風方向を任意に変更することで、効率的に温度調整できる空間の範囲を任意に選択することができる。
【００１１】
請求項２のメータクラスタによれば、枠部材が、吹き出し口からの送風方向と反対側の端部と、ダッシュボードと、の間に隙間が設けられた状態で、ダッシュボードに取付けられている。このため、吹き出し口から吹き出された風の流れにより、枠部材の周囲の空気が前記隙間から枠部材の内側に引き込まれる。これにより、枠部材の内側から送風方向を向く空気の流れを大きく形成することができ、吹き出し口からの送風量を、より一層大きくすることができる。
【００１２】
請求項３のメータクラスタによれば、枠部材が、左右方向の大きさが上下方向の大きさよりも大きくなっている。そして、吹き出し口が、少なくとも枠部材のうち、上方に位置し、かつ左右方向に延びる上縁部、および下方に位置し、かつ左右方向に延びる下縁部に設けられている。このため、吹き出し口の左右方向の大きさを確保することで、吹き出し口から車内への送風が広範囲に行き渡り、冷暖房効果を向上させることができる。
【図面の簡単な説明】
【００１３】
【図１】本発明の一実施形態に係るメータクラスタが設けられた車内を示す斜視図である。
【図２】図１に示すメータクラスタの正面図である。
【図３】図１に示すメータクラスタの縦断面図である。
【発明を実施するための形態】
【００１４】
以下、本発明の一実施形態に係るメータクラスタ１について、図１から図３に基づいて説明する。図１は、本発明の一実施形態に係るメータクラスタ１が設けられた車内を示す斜視図である。なお、図１では、ステアリングホイール、アクセルペダル、およびブレーキペダル等の運転操作子の図示を省略している。
【００１５】
図１に示すように、本実施形態に係るメータクラスタ１は、車内のダッシュボード５０に取り付けられる枠部材１０と、枠部材１０の内側に移動可能に取り付けられるとともに、車両情報を表示する表示部２０と、を有している。
以下の説明において、このメータクラスタ１が設けられる車両の前後方向を前後方向Ｘといい、運転席から見て左右方向を左右方向Ｙという。また車両の上下方向を上下方向Ｚという。
【００１６】
枠部材１０は、正面視で上下方向Ｚおよび左右方向Ｙの双方向に延びる矩形状をなしている。枠部材１０の左右方向Ｙの大きさは、上下方向Ｚの大きさよりも大きくなっている。
表示部２０は、正面視で上下方向Ｚおよび左右方向Ｙの双方向に延びる矩形状をなしている。表示部２０は例えば板状の液晶画面等により構成されている。
表示部２０が表示する車両情報としては、例えば車両の走行速度、エンジンの回転数、燃料の残量、ＧＰＳにより特定される車両の位置情報等がある。表示部２０が表示する内容は乗員の操作により適宜、変更してもよい。
【００１７】
表示部２０は、枠部材１０における後述する案内溝１２内に配置され、左右方向に移動可能とされている。表示部２０は、枠部材１０の内側を左右方向にスライドさせることで、移動可能とされている。図示の例では、表示部２０は枠部材１０の内側における左側の端部に位置している。
【００１８】
表示部２０の左右方向の位置は任意に変更可能であり、例えば図２に示すように、枠部材１０の内側における左右方向の中央部に配置してもよいし、右側の端部に配置してもよい。表示部２０を左右方向に移動させることで、枠部材１０の内側における表示部２０が位置していない部分に、枠部材１０の内側を前後方向に連通する連通空間が確保される。
【００１９】
図２は、図１に示すメータクラスタ１の正面図であり、図３は、図１に示すメータクラスタ１の縦断面図である。
図２および図３に示すように、枠部材１０は前後方向に開口する筒状をなしている。枠部材１０の周壁は中空状に形成されている。枠部材１０における周壁の内部は、図示しない空調機器と連通している。枠部材１０における周壁の内部に、空調機器からの冷暖風が供給される。
【００２０】
枠部材１０の周壁における後端部には、後方に向かうに従い漸次、厚みが小さくなる傾斜部１１が形成されている。傾斜部１１には、後方に向かうに従い漸次、中心軸線Ｏから離れる方向に延びる内側傾斜面１１Ａが形成されている。傾斜部１１および内側傾斜面１１Ａは、枠部材１０の周壁における後端部に、全周にわたって形成されている。
【００２１】
枠部材１０の内周面のうち、前後方向の中央部には、上下方向の外側に向けて窪み、かつ左右方向に延びる案内溝１２が形成されている。案内溝１２は、枠部材１０の内周面のうち、下方を向く下内周面１３、および上方を向く上内周面１４に各別に形成されている。案内溝１２は、下内周面１３および上内周面１４において、左右方向の全域にわたって延びている。一対の案内溝１２は、枠部材１０の中心軸線Ｏを上下方向に挟んでいる。
【００２２】
枠部材１０の下内周面１３のうち、下方に位置する下側案内溝１２Ａと前後方向に連なる部分には、前後方向の中央部に向かうに従い漸次、上下方向の外側に向けて延びる接続傾斜面１５が設けられている。接続傾斜面１５は、下側案内溝１２Ａの前方および後方に各別に形成されている。
枠部材１０の内周面に、接続傾斜面１５が形成されていることで、枠部材１０における案内溝１２の内部に、表示部２０を円滑に配置することができる。
【００２３】
そして本実施形態に係るメータクラスタ１は、枠部材１０に設けられ、枠部材１０が開口する方向のうちの一方向に向けて風を吹き出す吹き出し口３０を有している。図示の例では、吹き出し口３０は後方の車内に向けて、空調機器から供給された冷暖風を吹き出す。吹き出し口３０は枠部材１０における後方に配置され、後方に向けて開口している。以下、吹き出し口３０の開口する方向を送風方向ということがある。
【００２４】
また、吹き出し口３０は、枠部材１０のうち、上方に位置し、かつ左右方向に延びる上縁部、および下方に位置し、かつ左右方向に延びる下縁部に設けられている。吹き出し口３０は中心軸線Ｏを上下方向に挟む位置に各別に設けられている。
吹き出し口３０は、枠部材１０の周壁における傾斜部１１と、前後方向に連なる位置に配置されている。このため、吹き出し口３０から送風された冷暖風は、傾斜部１１の内側傾斜面１１Ａに沿って、送風方向（図示の例では後方）に向けて流れていく。
【００２５】
また本実施形態では、枠部材１０は、吹き出し口３０からの送風方向と反対側の端部と、ダッシュボード５０と、の間に隙間ＣＬが設けられた状態で、ダッシュボード５０に取付けられている。
ダッシュボード５０は、後方が前方よりも低くなる多段状に形成されている。枠部材１０はダッシュボード５０のうち、後方に位置する後段部５１に配置されている。ダッシュボード５０の後段部５１は、前方に向かうに従い漸次、下方に向けて延びている。このため、枠部材１０の中心軸線Ｏは、後方に向かうに従い漸次、上方に向けて延びている。
【００２６】
枠部材１０は、送風方向と反対側の端部、すなわち前端部と、ダッシュボード５０と、の間に隙間ＣＬが設けられた状態で、ダッシュボード５０に取付けられている。図示の例では、ダッシュボード５０の前段部５２における後方を向く後面５２Ａと、枠部材１０の前端部と、の間に隙間ＣＬが設けられている。この隙間ＣＬを通して、車内の空気が、枠部材１０の内側に向けて流通可能となっている。
【００２７】
次に、このように構成されたメータクラスタ１の内側における空気の流れについて説明する。
メータクラスタ１の吹き出し口３０から、枠部材１０の周壁の内部に供給された冷暖風が車内に向けて吹き出されると、この冷暖風は、内側傾斜面１１Ａに沿って送風方向に向けて車内に流れていく（Ａ１）。これにより、枠部材１０の内側において、表示部２０が位置していない部分の空気が、冷暖風の流れに引き込まれて、送風方向に向けて車内に流れていく（Ａ２）。
【００２８】
そして、枠部材１０の前端部と、ダッシュボード５０との間に形成された隙間ＣＬを通して、車内の空気が枠部材１０の内側に引き込まれることで（Ａ３）、枠部材１０の内側に、送風方向に向けた大量の空気の流れが形成される（Ａ４）。このように、吹き出し口３０からの冷暖風の流れに起因して、枠部材１０の内側に大量の空気の流れを形成することができる。
【００２９】
また、表示部２０の左右方向の位置を変更すると、枠部材１０の内側において、表示部２０が位置する部分の空気の流通が遮断される。
一方、表示部２０を左右方向に移動させたことにより、枠部材１０の内側において、表示部が位置しなくなった部分に、前述した冷暖風の流れに起因した、大量の空気の流れが新たに生じることとなる。
すなわち、表示部２０の左右方向の位置を変更することで、枠部材１０の内側において、吹き出し口３０からの冷暖風の流れに起因して、空気が大量に流れる部分の位置を任意に選択することができる。
【００３０】
以上説明したように、本実施形態に係るメータクラスタ１では、前後方向Ｘに開口する枠部材１０に吹き出し口３０が設けられているので、従来のエアアウトレット吹き出し口をダッシュボード５０に設ける必要が無い。このため、ダッシュボード５０上の部品の数を減らし、シンプルで見映えの良いインテリア空間を実現することができる。
また、吹き出し口３０を、枠部材１０の形状に沿って一定の範囲を占めるように設けることで、吹き出し口３０からの送風が車内の一部に集中することがなく、車内全体に均一な送風が可能となる。
【００３１】
また、表示部２０を、枠部材１０の内側で左右方向に移動させることができる為、表示部２０を確認する乗員の位置に合わせて、表示部２０の位置を変更することが可能になり、表示部２０の取扱性を向上することができる。
また、表示部２０を左右方向に移動させることで、枠部材１０の内側のうち、表示部２０が位置していない部分に、連通空間を大きく確保することができる。これにより、吹き出し口３０から冷暖風を吹き出した際に、前記連通空間を占める空気が、吹き出し口３０からの送風に引き込まれることで、枠部材１０からの送風量が多くなる。以上のように、表示部２０を左右方向に移動させて、吹き出し口３０からの送風方向を任意に変更することで、効率的に温度調整できる空間の範囲を任意に選択することができる。
【００３２】
また、枠部材１０が、吹き出し口３０からの送風方向と反対側の端部と、ダッシュボード５０と、の間に隙間ＣＬが設けられた状態で、ダッシュボード５０に取付けられている。このため、吹き出し口３０から吹き出された冷暖風の流れにより、枠部材１０の周囲の空気が前記隙間ＣＬから枠部材１０の内側に引き込まれる。これにより、枠部材１０の内側から送風方向を向く空気の流れを大きく形成することができ、吹き出し口３０からの送風量を、より一層大きくすることができる。
【００３３】
また、枠部材１０の左右方向の大きさが、上下方向の大きさよりも大きくなっている。そして、吹き出し口３０が、少なくとも枠部材１０のうち、上方に位置し、かつ左右方向に延びる上縁部、および下方に位置し、かつ左右方向に延びる下縁部に設けられている。このため、吹き出し口３０の左右方向の大きさを確保することで、吹き出し口３０から車内への送風が広範囲に行き渡り、冷暖房効果を向上させることができる。
【００３４】
なお、本発明は、図面を参照して説明した上述の実施形態に限定されるものではなく、その技術的範囲において様々な変形例が考えられる。
例えば、上記実施形態においては、枠部材１０は、吹き出し口３０からの送風方向と反対側の端部と、ダッシュボード５０と、の間に隙間ＣＬが設けられた状態で、ダッシュボード５０に取付けられる構成を示したが、このような態様に限られない。枠部材１０は、吹き出し口３０からの送風方向と反対側の端部と、ダッシュボード５０と、の間に隙間ＣＬが設けられることなく、ダッシュボード５０に取付けられてもよい。
【００３５】
また、上記実施形態においては、枠部材１０は、正面視で上下方向および左右方向の双方向に延びる矩形状をなすとともに、左右方向の大きさが上下方向の大きさよりも大きくなっている構成を示したが、このような態様に限られない。枠部材１０の正面視での形状は、例えば円形や矩形状以外の多角形状等、任意に変更することができる。
【００３６】
また、上記実施形態においては、吹き出し口３０は、枠部材１０の周縁部のうち、上方に位置する上縁部、および下方に位置する下縁部に各別に設けられている構成を示したが、このような態様に限られない。吹き出し口３０は、枠部材１０における周縁部のうち、左右方向の両側に位置する側縁部に設けられてもよいし、枠部材１０における周縁部の全周にわたって設けられてもよい。
【００３７】
また、上記実施形態においては、吹き出し口３０は空調機器から供給された冷暖風を吹き出す構成を示したが、このような態様に限られない。吹き出し口３０から、図示しない送風機から供給された室内の空気がそのまま吹き出されてもよい。
また、上記実施形態においては、枠部材１０の周壁における後端部に、傾斜部１１が形成されている構成を示したが、このような態様に限られない。枠部材１０に傾斜部１１が形成されなくてもよい。
【００３８】
その他、本発明の趣旨を逸脱しない範囲で、上記した実施の形態における構成要素を周知の構成要素に置き換えることは適宜可能である。
【符号の説明】
【００３９】
１…メータクラスタ  １０…枠部材  ２０…表示部  ３０…吹き出し口  ５０…ダッシュボード  ＣＬ…隙間
【図１】
2019064559.tif 000003
【図２】
2019064559.tif 000004
【図３】
2019064559.tif 000005